(57)【要約】【課題】既存の、車載用ごみ箱では、車両に固定する為、走行中の振動で転倒する事は無いが、溜まったごみを捨てる際、取り外しに手間がかかる。また、家庭用のごみ箱を乗用車などに搭載すると、振動で転倒してしまう。【解決手段】本発明品を、固定部材を使って乗用車の床上に備えられたカーペットに取り付けておき、ごみ箱は、本発明品の上部に挿入して保持する。【選択図】  図２
2006111441.tif 000002
【特許請求の範囲】
【請求項１】
上部が開放され、底板と側壁を有する略長方形又は略円形の容器において、容器の底部裏側に、該容器の固定部材を設けた事を特徴とする、ごみ箱等の保持器具。
容器の固定部材とは、略長方形や略長円形の板材又は線材で、その一端は、前記容器の底部又は外周部に固定され、固定部以外は、前記容器の底部裏側面に接している、又は、０から３０ｍｍ程度の間隔をもって装置され、その弾力により、絨毯等の板状の物体を挟み込む事で、容器本体を絨毯等に固定するものを指す。
【請求項２】
下記のいずれか又は、全ての特徴を有する、請求項１に記載の、ごみ箱等の保持器具。
１，容器の底板又は側壁の内側に、凸部、凹部、又は貫通孔を、１個以上設け、本発明品に挿入したごみ箱等の容器を、保持可能に構成した。
２，容器の側壁または底板に、ネジ、ピン、カム、クサビ、ターンバックル等のロック機構を備え、本発明品に挿入したごみ箱等の容器を、着脱自在に構成した。
３，側壁の一部又は全周は、下部よりも上部の方が狭くなるように装置され、その弾力により、本発明品に挿入したごみ箱等の容器を、保持可能に構成した。
４，側壁の内側面に、粗面を設ける、又は、ゴム等の滑り止め部材を装置した。
５，容器の底部又は、側壁の下部に、水抜き用の貫通孔を１個以上設けた。
６，上記水抜き用の貫通孔に、孔を開閉する為の、栓又は蓋を設けた。
７，容器固定部材に、１ヶ所以上の上向き凸部分を設け、凸部と容器底部は接している又は、０から３０ｍｍ程度の間隔をもって装置した。
８，容器固定部材の長さは、容器の長径又は長辺に対して、１％から１５０％の範囲とし、幅は、容器の長径又は長辺に対して、１％から１００％の範囲とした。
９，側壁の１ヶ所又は数ヶ所に、切欠きを設けた。又は、側壁の一部を削除した。
１０，側壁は、根元にヒンジを設け、又は材料の弾力性を利用し、折りたたみ可能とした。
１１，容器固定部材は樹脂製とし、容器本体と一体成形によって構成した。
【請求項３】
容器固定部材は、容器本体と別体の、ヘアピン状部材又は、断面形状がＵ型のクリップ状の部材とし、固定部材を容器本体に取り付ける構造は、下記のいずれかである事を特徴とする、請求項１又は２に記載の、ごみ箱等の保持器具。
１，容器本体の側壁下部に設けた貫通孔に、底板と略平行に差し込む構成とした。
２，容器本体の底部裏側に設けた貫通孔に、底板と略平行に差し込む構成とした。
３，ネジ、リベット、接着、溶着、ピン、圧入、嵌め込み等の方法で、容器本体に固定した。
【請求項４】
底板のみで側壁が無く、底板の上面に、磁石又は、ごみ箱等の保持装置を備えた、請求項１から３に記載の、ごみ箱等の保持器具。保持装置とは、凹部、凸部、貫通孔、フック形状などや、ネジ、ピン、クサビ、ターンバックルなどの、着脱自在なロック機構を指す。
【発明の詳細な説明】
【技術分野】
【０００１】本発明は、主として乗用車などに搭載するごみ箱などが、走行中の振動で転倒する事を防止し、着脱自在に保持する器具に関する。
【背景技術】
【０００２】車両に搭載し、固定する目的で作られたごみ箱は存在するが、ごみ箱を保持する器具は存在しない。
【発明の開示】
【発明が解決しようとしている課題】
【０００３】既存の、車載用ごみ箱では、車両に固定する為、走行中の振動で転倒する事は無いが、溜まったごみを捨てる際、取り外しに手間がかかる。また、家庭用のごみ箱を乗用車に搭載すると、走行中の振動で転倒してしまう。
【課題を解決する為の手段】
【０００４】本発明品を、固定部材を使って乗用車の床上に備えられたカーペット（絨毯）に取り付けておき、ごみ箱は、本発明品の上部に挿入して保持する。
【発明の効果】
【０００５】廉価で市販されている家庭用のごみ箱を、車載用として使用する事が可能となる。
溜まったごみを捨てる際は、本発明品からごみ箱だけを取り外し、捨てれば良い。また、本発明品の側壁を低く構成しておき、側壁の内側に貼り付けたゴム等の摩擦力で、ごみ箱を保持する構造ならば、ごみ箱を外した状態でも邪魔にならない。側壁を、内側に折りたたむ構成も、同様である。
【発明を実施するための最良の形態】
【０００６】本発明品の容器下部に装置された固定部材を、自動車のカーペットの端部に差し込み、固定する。その後、本発明品の上部から、ごみ箱を挿入する。
ごみ箱は、本発明品に装置されたゴムや、ネジ・ピン・フックなどの固定装置で、本発明品に固定される。使用しない時は、本発明品の側壁を折りたたむ事が可能である。
また、側壁を使用せず、磁石などでごみ箱を保持する構成ならば、ごみ箱を挿入しない時でも、本発明品が邪魔にならない。
【実施例】
【０００７】図１は、本発明品の上面図を表す。側壁３を有する容器本体１の低部下側に、固定部材２を取り付けた。図２は、図１の縦断面図を表す。固定部材２と本体１との間には、隙間６が有り、自家用車のカーペット等に差し込み本体を保持する。この状態で、ごみ箱９を、本体１に挿入すれば、振動で転倒せず、着脱自在となる。以上が、請求項１の実施例である。【０００８】請求項２の実施例は、図２を使って説明する。４は、固定部材２の先端部に設けられた上向きの凸部で、本体１の底部裏側に接している。５は、側壁３の内側に設けた凸部である。以上の構成で、乗用車のシート下に敷かれているカーペットの端部に、隙間６に部分を差し込めば、固定部材２の弾力性により凸部４が、カーペットを挟み、より強固に本体は保持される。又、凸部５により、ごみ箱９も強固に本体に保持され、安定性が増す。凸部５は、ゴムなどの滑り止め部材を貼り付ける事でも、同様の機能を果たす。
また、側壁３の一部を削除し、根元にヒンジを設けておけば、未使用時に側壁を内側に折りたたむ事が可能で、邪魔にならない。以上が、請求項２の実施例である。【０００９】請求項３は、図３及び、図４を使って説明する。７は、本体１の底部に設けられたスリットで、一定の幅を持つ貫通孔である。８は、本体とは別体の固定部材で、ヘアピン状の断面形状を有し、一定の幅を持つ。以上の構成で、容器状の本体１を、スリット７が端部に合う様に、カーペットの端部に置き、本体底部とカーペットを同時に挟む様に、固定部材８を差し込む。この構成により、請求項１又は２と同じ機能ながら、１と８の材質や色を異なるものにする事が可能で、製造方法の自由度が増す。以上が、請求項３の実施例である。【００１０】図５は、請求項４の実施例を表す。本体１０は、前述の容器１から側壁３を削除した構成で、その上部に、磁石１１を、１個以上装置した。この構成により、金属製のごみ箱又は、底部に金属を装置したごみ箱を、着脱自在に保持する事が可能となる。以上が、請求項４の実施例である。
【産業上の利用可能性】
【００１１】本発明によれば、自家用車などの振動が有る場所でも、ごみ箱を安定的に保持する事が可能で、ごみを捨てる際にも着脱自在となる。また、本発明品は高さが低い上、折りたたみも可能なので、使用しない時でも邪魔にならず、利便性が極めて高い。
【図面の簡単な説明】
【００１２】
【図１】請求項１及び２の、上面図である。
【図２】請求項１及び２の、縦断面図である。
【図３】スリットを設けた、請求項３の、縦断面図である。
【図４】本体と別体とした、請求項３の、ヘアピン状固定部材の側面図である。
【図５】本体上面に、磁石を設けた、請求項４の縦断面図である。
【符号の説明】
【００１３】  １、本発明の、容器本体
２、固定部材
３、容器本体の、側壁
４、固定部材の、上向き凸部
５、側壁内側の、凸部
６、本体と固定部材との隙間
７、側壁の一部分に設けた、スリット（貫通孔）
８、本体と別体の、固定部材単体
９、本体に挿入して保持された、ごみ箱
１０、側壁を廃止した、本発明の本体（１から側壁３を削除した状態）
１１、磁石
【図１】
2006111441.tif 000003
【図２】
2006111441.tif 000004
【図３】
2006111441.tif 000005
【図４】
2006111441.tif 000006
【図５】
2006111441.tif 000007